(57)【要約】【課題】  専用の起動スイッチを設ける必要がなく、既存の携帯電話機に適用することができ、所有者以外の者による擬似通話動作の解除を困難にした防犯機能付き携帯電話機を提供する。【解決手段】  本発明に係る携帯電話機２１は、第３の操作ボタン６ｃが押された場合に、擬似着信動作を開始させ、次いで第４の操作ボタン６ｄが押された場合に、音声データ記憶部２７に記憶された擬似通話用音声データを出力して擬似通話動作を開始させ、次いで第５の操作ボタン６ｅが押された場合に、擬似通話動作を停止させる擬似着信通話開始停止部２５を有する。【選択図】  図５
2004289875.tif 000002
【特許請求の範囲】
【請求項１】
擬似着信動作を開始させる第３の操作ボタンと、
擬似通話動作を開始させる第４の操作ボタンと、
擬似通話動作を停止させる第５の操作ボタンと、
前記第３の操作ボタンを設定する擬似着信動作開始ボタン設定部と、
前記第４の操作ボタンを設定する擬似通話動作開始ボタン設定部と、
前記第５の操作ボタンを設定する擬似通話動作停止ボタン設定部と、
擬似着信動作開始ボタン設定部、擬似通話動作開始ボタン設定部及び擬似通話動作停止ボタン設定部によって設定された第３の操作ボタン、第４の操作ボタン及び第５の操作ボタンの設定情報を記憶するボタン設定記憶手段と、
擬似通話用音声データを記憶する音声データ記憶手段と、
前記第３の操作ボタンが押された場合に、擬似着信動作を開始させ、次いで前記第４の操作ボタンが押された場合に、前記音声データ記憶手段に記憶された擬似通話用音声データを出力して擬似通話動作を開始させ、次いで前記第５の操作ボタンが押された場合に、擬似通話動作を停止させる擬似着信通話開始停止手段と、
を有することを特徴とする携帯電話機。
【請求項２】
音声データを録音する録音手段を有し、
前記擬似着信通話開始停止手段は、前記録音手段によって録音された音声データを擬似通話用音声データとして出力させる、
ことを特徴とする請求項１に記載の携帯電話機。
【請求項３】
前記擬似着信通話開始停止手段は、前記第３の操作ボタンが押されて擬似着信動作を開始させた後、前記第４の操作ボタン以外の操作ボタンが押された場合に擬似着信動作を停止させる、
ことを特徴とする請求項１又は２に記載の携帯電話機。
【請求項４】
ストレート型の本体で構成されていることを特徴とする請求項１乃至３のいずれか１つの項に記載の携帯電話機。
【請求項５】
折り畳み型の本体で構成されていることを特徴とする請求項１乃至３のいずれか１つの項に記載の携帯電話機。
【請求項６】
擬似着信動作を開始させる第３の操作ボタンと、擬似通話動作を開始させる第４の操作ボタンと、擬似通話動作を停止させる第５の操作ボタンとを有する携帯電話機であって、
前記第３の操作ボタンを設定するステップと、
前記設定された第３の設定ボタンの設定情報を記憶するステップと、
前記第４の操作ボタンを設定するステップと、
前記設定された第４の設定ボタンの設定情報を記憶するステップと、
前記第５の操作ボタンを設定するステップと、
前記設定された第５の設定ボタンの設定情報を記憶するステップと、
前記第３の操作ボタンが押された場合に、擬似着信動作を開始させるステップと、
前記第４の操作ボタンが押された場合に、擬似通話用音声データを出力して擬似通話動作を開始させるステップと、
前記第５の操作ボタンが押された場合に、擬似通話動作を停止させるステップと、
を有することを特徴とする携帯電話機の擬似着信通話開始停止方法。
【発明の詳細な説明】
【技術分野】
【０００１】
本発明は、携帯電話機（ＰＨＳも含む）に関し、特に、擬似着信通話状態を作り出す防犯機能を備えた携帯電話機、擬似着信通話開始停止方法に関する。
【背景技術】
【０００２】
従来、痴漢、暴漢、引ったくりなどを撃退する防犯機器として、アラーム音を鳴らして、周囲の人に危険な状態に陥ったことを知らせるものが知られている。
【０００３】
しかし、上記の防犯機器は、小型であるとはいえ持ち歩きには煩わしさがあった。また、電池の自然放電により緊急時に作動しない恐れもあり、常に電池のチェックをして作動状態の確認をしなければならず、その管理も煩わしかった。
【０００４】
そこで、近年広く普及している携帯電話機に上記のアラーム機能を付加する技術が提案されている。
【０００５】
例えば、特開平９−２７００７８号公報、特開平１１−１６０５５号公報、実用新案登録第３０３５７８４号公報、実用新案登録第３０６５４５０号公報には、本体の側面などに配置された起動スイッチと、その起動スイッチを押圧又はスライドしてＯＮ状態に操作するとアラーム音を発生させる警報手段とを備えた携帯電話機が提案されている。この従来の携帯電話機によれば、使用頻度の高い携帯電話機に警報手段を備えているので、特別に意識することなく警報を発する機器を携帯することができるとともに、携帯電話機を使用するたびに電源電池の消耗度合いをチェックすることができるので、電池が消耗して実際に使用する時に警報手段が作動しないというトラブルを未然に防止できる（以下、従来例１という）。
また、近くにいる者が自分に危害を加えようとしている気配を感じたときに、携帯電話機で誰かに電話をかけて自分のいる場所などを自然に話すことにより相手を威嚇することができる。この方法では、従来の防犯機器と異なり、実際には危害を加える意思が相手になかった場合にも問題が生じないので気楽に利用可能である（以下、従来例２という）。
【０００６】
【特許文献１】特開平９−２７００７８号公報
【特許文献２】特開平１１−１６０５５号公報
【特許文献３】実用新案登録第３０３５７８４号公報
【特許文献４】実用新案登録第３０６５４５０号公報
【発明の開示】
【発明が解決しようとする課題】
【０００７】
しかし、従来例１には次のような課題がある。
【０００８】
（１）従来例１では、専用の起動スイッチを本体の側面などに設ける必要があるため、構成が複雑になり製造コストがアップするという課題がある。
【０００９】
（２）従来例１では、既存の携帯電話機にそのまま適用できないため、利用者は専用の携帯電話機を新たに購入しなければならないという課題がある。
【００１０】
（３）従来例１では、アラーム音の解除方法は、例えば起動スイッチを再度操作（押圧又はスライド）することによって行われる（例えば実用新案登録第３０３５７８４号公報の段落番号００１２参照）。そのため、犯罪者によって携帯電話機を取り上げられた場合、アラーム音を容易に解除されてしまい、防犯効果を十分に発揮できなくなるおそれがあるという課題がある。
【００１１】
また、従来例２には次のような課題がある。
【００１２】
（４）携帯電話機で電話をかける行動により相手を刺激して逆上させてしまい、かえって状況が悪化してしまう可能性がある。また、警察などに通報するほどの状況でもない場合もあり、通報するか否かの判断が難しい。さらに、電話の相手方に電話がつながらない場合には大きな効果を期待できない。
【００１３】
本発明は、上記課題を解決するためになされたものであり、専用の起動スイッチを設ける必要がなく、既存の携帯電話機に適用することができ、所有者以外の者によるアラーム音や擬似通話動作の解除を困難にした携帯電話機を提供することを目的とする。
【課題を解決するための手段】
【００１４】
本発明の携帯電話機は、
擬似着信動作を開始させる第３の操作ボタンと、
擬似通話動作を開始させる第４の操作ボタンと、
擬似通話動作を停止させる第５の操作ボタンと、
前記第３の操作ボタンを設定する擬似着信動作開始ボタン設定部と、
前記第４の操作ボタンを設定する擬似通話動作開始ボタン設定部と、
前記第５の操作ボタンを設定する擬似通話動作停止ボタン設定部と、
擬似着信動作開始ボタン設定部、擬似通話動作開始ボタン設定部及び擬似通話動作停止ボタン設定部によって設定された第３の操作ボタン、第４の操作ボタン及び第５の操作ボタンの設定情報を記憶するボタン設定記憶手段と、
擬似通話用音声データを記憶する音声データ記憶手段と、
前記第３の操作ボタンが押された場合に、擬似着信動作を開始させ、次いで前記第４の操作ボタンが押された場合に、前記音声データ記憶手段に記憶された擬似通話用音声データを出力して擬似通話動作を開始させ、次いで前記第５の操作ボタンが押された場合に、擬似通話動作を停止させる擬似着信通話開始停止手段と、
を有することを特徴とするものである。
【００１５】
音声データを録音する録音手段を有し、前記擬似着信通話開始停止手段は、前記録音手段によって録音された音声データを擬似通話用音声データとして出力させるものでもよい。
【００１６】
前記擬似着信通話開始停止手段は、前記第３の操作ボタンが押されて擬似着信動作を開始させた後、前記第４の操作ボタン以外の操作ボタンが押された場合に擬似着信動作を停止させるものでもよい。
【００１７】
ストレート型の本体で構成されてもよく、折り畳み型の本体で構成されてもよい。
本発明の携帯電話機の擬似着信通話開始停止方法は、擬似着信動作を開始させる第３の操作ボタンと、擬似通話動作を開始させる第４の操作ボタンと、擬似通話動作を停止させる第５の操作ボタンとを有する携帯電話機であって、前記第３の操作ボタンを設定するステップと、前記設定された第３の設定ボタンの設定情報を記憶するステップと、前記第４の操作ボタンを設定するステップと、前記設定された第４の設定ボタンの設定情報を記憶するステップと、前記第５の操作ボタンを設定するステップと、前記設定された第５の設定ボタンの設定情報を記憶するステップと、前記第３の操作ボタンが押された場合に、擬似着信動作を開始させるステップと、前記第４の操作ボタンが押された場合に、擬似通話用音声データを出力して擬似通話動作を開始させるステップと、前記第５の操作ボタンが押された場合に、擬似通話動作を停止させるステップと、を有することを特徴とするものである。
【発明の効果】
【００１８】
本発明によれば、専用の起動スイッチを本体の側面などに設ける必要がなく、既存の操作ボタンを利用するので、構成が複雑になることはなく、製造コストのアップを抑えることができる。
【００１９】
また、既存の携帯電話機にそのまま適用できるため、利用者は専用の携帯電話機を新たに購入する必要はない。
【００２０】
また、擬似着信及び擬似通話を行うことにより、有効に相手を威嚇し、警戒させることができる。また、発信の行為により相手を逆上させることもなく、相手方に電話がつながらないという心配もないので、犯罪の防止を安全かつ確実に行うことができる。
【００２１】
さらに、擬似着信通話開始停止手段は、第５の操作ボタンが押された場合だけに擬似通話動作を停止させ、第５の操作ボタン以外の操作ボタンが押された場合、擬似通話動作を停止しないので、携帯電話機の所有者のみが容易に擬似通話動作を解除でき、所有者以外の者が擬似通話動作を解除するのは困難である。従って、犯罪者によって携帯電話機を取り上げられた場合であっても、擬似通話動作を容易に解除されてしまうことはなく、防犯効果を著しく向上させることができる。
【発明を実施するための最良の形態】
【００２２】
以下、本発明の実施の形態について図面を参照して説明する。図１は、本発明の第１の実施の形態に係る携帯電話機の構成を示すブロック図である。
【００２３】
図１に示すように、本発明の第１の実施の形態に係る携帯電話機１は、各種情報を表示するＬＣＤ２（２ａ、２ｂ）、ＬＣＤ２を発光させるＬＣＤバックライト３、ＬＣＤバックライト３で発光する色をコントロールするＲＧＢコントローラ４、着信時に本体を振動させるバイブレータ５、ダイヤルボタン、機能ボタン等の操作ボタン６、アラーム音、着信音、操作音等を鳴らすスピーカ７、スピーカ７を駆動させるスピーカ駆動部８、各種データを記憶するＲＯＭ等の記憶部９、これらを制御する制御部１０とを有する。
【００２４】
この携帯電話機１は、さらに通常の携帯電話機１と同様に、基地局との電波の送受信を制御する送受信部１８、実際に電話を送受信するアンテナ１９を有する。さらに、携帯電話機１は、着信／充電ランプ、受話口、送話口、外部接続端子、イヤホン端子（図示せず）等を備えている。
【００２５】
また、この携帯電話機１は、表示部及び操作部を一体に構成したストレート型（一体型）の本体で構成されていてもよく、表示部（蓋部）と操作部を分離して両者をヒンジで連結した折り畳み型の本体で構成されていてもよい。
【００２６】
折り畳み型の場合、ＬＣＤ２は、図１に示すように、第１のＬＣＤ２ａと第２のＬＣＤ２ｂとからなってもよい。例えば第１のＬＣＤ２ａが携帯電話機１を閉じたとき内側に配置されるとすれば、第２のＬＣＤ２ｂは携帯電話機１の背面に配置される。第１のＬＣＤ２ａには設定事項やメニュー項目を表示できるが、第２のＬＣＤ２ａには電界強度を示す電界バー表示や、電池残量を示す電池残量表示などの状態表示、着信表示、時計表示等、限られた表示を行うために使用される。
【００２７】
第１の操作ボタン６ａとしては、折り畳んだ状態でもボタン操作できるように、例えば本体の側面側に予め設けられた機能ボタンが利用される。また、第１の操作ボタン６ａとして、ダイヤルボタンや表面側の機能ボタンが利用されてもよい。第２の操作ボタン６ｂとしては、例えばダイヤルボタン、表面側の機能ボタン、本体の側面側に予め設けられた機能ボタン等が利用される。
【００２８】
制御部１０は、アラーム音を発生させる第１の操作ボタン６ａを設定するアラーム音発生ボタン設定部１１と、アラーム音を停止させる第２の操作ボタン６ｂを設定するアラーム音停止ボタン設定部１２と、アラーム音を停止させる暗証番号を設定する暗証番号設定部１３と、スピーカ駆動部８を制御しアラーム音を発生停止させるアラーム音発生停止部１４と、基地局との通信のやりとりを制御する通信制御部２０とを有する。
【００２９】
記憶部９は、アラーム音発生ボタン設定部１１及びアラーム音停止ボタン設定部１２によって設定された第１及び第２の操作ボタン６ａ、６ｂの設定情報を記憶するボタン設定記憶部１５と、暗証番号設定部１３によって設定された暗証番号の設定情報を記憶する暗証番号記憶部１６とを有する。
【００３０】
制御部１０のアラーム音発生停止部１４は、第１の操作ボタン６ａが押された場合にアラーム音を発生させる。また、第２の操作ボタン６ｂが所定時間押し続けられた場合、所定回数押された場合、又は所定の暗証番号が入力された場合に、アラーム音を停止させ、第２の操作ボタン６ｂ以外の操作ボタン６が押されたり、異なる暗証番号が入力された場合、アラーム音を停止させない。
【００３１】
なお、記憶部９には、複数の異なるアラーム音を記憶するアラーム音記憶部１７を有してもよい。この場合、アラーム音発生ボタン設定部１１は、アラーム音記憶部１７に記憶された複数の異なるアラーム音に対応して複数の第１の操作ボタン６ａを設定することができる。
【００３２】
待ち受け状態から第１の操作ボタン６ａが押されると、制御部１０のアラーム音発生停止部１４は、スピーカ駆動部８を制御し、スピーカ７からアラーム音を発生させる。
【００３３】
本携帯電話機１におけるＬＣＤ２の画面表示やバイブレータ５によるバイブ動作は、通話中／メニュー操作中の動作と異なる。従って、制御部１０からの信号を受けても、通話中／メニュー操作中の動作ではないため、第１のＬＣＤ２ａ及び第２のＬＣＤ２ｂへの特別な表示は行わない。また、制御部１０からの信号を受けて、かつ着信時のバイブレータ５の起動が設定してある場合でも、通話中／メニュー操作中の動作ではないため、バイブレータ５は振動しない。
【００３４】
また、制御部１０からの信号により、ＲＧＢコントローラ４を介してＬＣＤバックライト３を発光させる。このときの発光色は携帯電話機１の所有者が危険な状態にあることを表す色（例えば赤色）で発光する。
【００３５】
また、スピーカ７から発生するアラーム音は、斬増音や低電圧警報音、移動機障害時などに鳴動する、明らかにアラーム音とわかる音とするのが好ましい。また、音量は受話音量や着信音量に左右されることなく、最大音量固定、または斬増音等本機能の目的であるアラームを知らせるにふさわしい音量で鳴動するのが好ましい。
【００３６】
図２（Ａ）及び（Ｂ）は本発明の実施の形態に係る携帯電話機１の設定手順を説明するためのフローチャートである。
【００３７】
まず、図２（Ａ）に示すように、携帯電話機１の所有者の入力操作により、アラーム音発生ボタン設定部１１は第１の操作ボタン６ａを設定する（ステップＡ１）。第１の操作ボタン６ａの設定情報は、ボタン設定記憶部１５に記憶される（ステップＡ２）。なお、製品出荷時に予め第１の操作ボタン６ａが設定されていてもよい。その場合には、ステップＡ１及びＡ２の手順は不要となる。また、予め設定されている第１の操作ボタン６ａを所有者の入力操作により別の操作ボタン６に設定変更できるようにしてもよい。
【００３８】
次いで、携帯電話機１の所有者の入力操作により、アラーム音停止ボタン設定部１２は第２の操作ボタン６ｂを設定する（ステップＡ３）。第２の操作ボタン６ｂの設定情報は、ボタン設定記憶部１５に記憶される（ステップＡ４）。
【００３９】
また、図２（Ｂ）に示すように、暗証番号設定部１３によって暗証番号を設定してもよい（ステップＡ５）。第２の操作ボタン６ｂの設定情報は、暗証番号記憶部１６に記憶される（ステップＡ６）。
【００４０】
図３は、本発明の第１の実施の形態に係る携帯電話機１の動作手順を説明するためのフローチャートである。
【００４１】
待ち受け状態（ステップＢ１）からアラーム音を鳴動させるための第１の操作ボタン６ａを押下すると（ステップＢ２）、制御部１０によってアラームモードに切り替わり（ステップＢ２’）、携帯電話機１のスピーカ７よりアラーム音を鳴動（発生）させる（ステップＢ３）。ステップＢ２にてアラーム音を鳴動させるための第１の操作ボタン６ａを押下しない場合は、待ち受け状態を維持する。
【００４２】
アラーム音鳴動中にアラーム音を停止させるための第２の操作ボタン６ｂを押下すると（ステップＢ４）、アラーム音が停止する（ステップＢ５）。このとき、アラーム音を停止させるための解除方法は誰にでもわかるような簡単なものではなく、携帯電話機１の所有者のみが容易に解除できるように、指定キーである第２の操作ボタン６ｂが所定時間（例えば５秒）押し続けられた場合又は所定回数（例えば３回）押された場合にだけ、アラーム音を停止するように構成されている。
【００４３】
アラーム音を停止させるための第２の操作ボタン６ｂ以外のボタンを押下した場合、携帯電話機１のスピーカ７から鳴動しているアラーム音は停止せず、アラーム音停止のためのボタン操作が正常に行われるまで、アラーム音は鳴動し続けることになる。
【００４４】
アラーム音が停止すると、待ち受け状態に移行される。
【００４５】
図４は、本発明の他の実施の形態に係る携帯電話機１の動作手順を説明するためのフローチャートである。
【００４６】
待ち受け状態（ステップＣ１）からアラーム音を鳴動させるための第１の操作ボタン６ａを押下すると（ステップＣ２）、制御部１０によってアラームモードに切り替わり（ステップＣ２’）、携帯電話機１のスピーカ７よりアラーム音を鳴動（発生）させる（ステップＣ３）。ステップＣ２にてアラーム音を鳴動させるための第１の操作ボタン６ａを押下しない場合は、待ち受け状態を維持する。
【００４７】
アラーム音鳴音中にアラーム音を停止させるための暗証番号を入力し（ステップＣ４）、その暗証番号が正しい場合には（ステップＣ５）、アラーム音が停止する（ステップＣ６）。
【００４８】
アラーム音を停止させるための暗証番号が正しく入力されなかった場合、携帯電話機１のスピーカ７から鳴動しているアラーム音は停止せず、アラーム音停止のためのボタン操作が正常に行われるまで、アラーム音は鳴動し続けることになる。
【００４９】
アラーム音が停止すると、待ち受け状態に移行される。
【００５０】
本発明の第１の実施の形態に係る携帯電話機１によれば、専用の起動スイッチを本体の側面などに設ける必要がなく、既存の操作ボタンを利用するので、構成が複雑になることはなく、製造コストのアップを抑えることができる。
【００５１】
また、制御部１０及び記憶部９の構成を変えるだけで既存の携帯電話機にそのまま適用できるため、利用者は専用の携帯電話機を新たに購入する必要はない。
【００５２】
さらに、アラーム音発生停止部１４は、第２の操作ボタン６ｂが所定時間押し続けられた場合、所定回数押された場合又は所定の暗証番号が入力された場合だけにアラーム音を停止し、第２の操作ボタン６ｂ以外の操作ボタン６が押されたり、所定の暗証番号以外の番号が入力されてもアラーム音を停止しないので、携帯電話機１の所有者のみが容易にアラーム音を解除でき、所有者以外の者がアラーム音を解除するのは困難である。従って、犯罪者によって携帯電話機１を取り上げられた場合であっても、アラーム音を容易に解除されてしまうことはなく、防犯効果を著しく向上させることができる。
【００５３】
図５は本発明の第２の実施の形態に係る携帯電話機の構成を示すブロック図である。
【００５４】
第２の実施の形態に係る携帯電話機２１は、擬似着信通話状態を作り出す防犯機能を備えた携帯電話機に関する。第２の実施の形態に係る携帯電話機２１は、第１の実施の形態に係る携帯電話機１と基本的な構成は同様であり、同一の構成要素は同一の符号を付して説明を省略する。
【００５５】
操作ボタン６は、擬似着信動作を開始させる第３の操作ボタン６ｃと、擬似通話動作を開始させる第４の操作ボタン６ｄと、擬似通話動作を停止させる第５の操作ボタン６ｅとを有する。
【００５６】
各操作ボタン６ｃ〜６ｅとしては、ダイヤルボタン、機能ボタン、ストレート（一体）型携帯電話機の筐体側面のボタン、ストレート（一体）型携帯電話機の表示部背面に設けられたボタン、折畳型携帯電話機の上部筐体の側面に設けられたボタン、折畳型携帯電話機の下部筐体の側面に設けられたボタン、折畳型携帯電話機の表示部背面に設けられたボタン等が用いられる。
【００５７】
制御部１０は、擬似着信動作を開始させる第３の操作ボタン６ｃを設定する擬似着信動作開始ボタン設定部２２と、擬似通話動作を開始させる第４の操作ボタン６ｄを設定する擬似通話動作開始ボタン設定部２３と、擬似通話動作を停止させる第５の操作ボタン６ｅを設定する擬似通話動作停止ボタン設定部２４と、擬似着信通話動作を開始又は停止させる擬似着信通話開始停止部２５とを有する。
【００５８】
記憶部９は、擬似着信動作開始ボタン設定部２２、擬似通話動作開始ボタン設定部２３、擬似通話動作停止ボタン設定部２４によって設定された第３の操作ボタン６ｃ、第４の操作ボタン６ｄ、第５の操作ボタン６ｅの設定情報を記憶するボタン設定記憶部２６と、擬似通話用音声データを記憶する音声データ記憶部２７とを有する。
【００５９】
制御部１０の擬似着信通話開始停止部２５は、第３の操作ボタン６ｃが押された場合に、擬似着信動作を開始させ、次いで第４の操作ボタン６ｄが押された場合に、音声データ記憶部２７に記憶された擬似通話用音声データを受話口から出力して擬似通話動作を開始させ、次いで第５の操作ボタン６ｅが押された場合に、擬似通話動作を停止させる。
【００６０】
擬似着信動作の動作形態としては、着信ランプを点灯／点滅される、メイン表示部のバックライトを点灯／点滅される、キーボタン照明ランプを点灯／点滅させる、背面表示ＬＣＤのバックライトを点灯／点滅させる、上記のランプ類を特定の色で点灯／点滅させる、上記のランプ類の発光色を順次変えていく、着信音を鳴らす、バイブレータ５を振動させる、等である。
【００６１】
なお、携帯電話機２１は、過去の通話中の相手方の音声データや新たに作成された音声データを録音する録音部２８を有し、擬似着信通話開始停止部２５は、録音部２８によって録音された音声データを擬似通話用音声データとして出力するように構成してもよい。
【００６２】
また、擬似着信通話開始停止部２５は、第３の操作ボタン６ｃが押されて擬似着信動作を開始させた後、第４の操作ボタン６ｄ以外の操作ボタンが押された場合に擬似着信動作を停止させるように構成してもよい。
【００６３】
図６は本発明の第２の実施の形態に係る携帯電話機の設定手順を説明するためのフローチャートである。
【００６４】
まず、図６に示すように、携帯電話機２１の所有者の入力操作により、擬似着信動作開始ボタン設定部２２は第３の操作ボタン６ｃを設定する（ステップＤ１）。第３の操作ボタン６ｃの設定情報は、ボタン設定記憶部２６に記憶される（ステップＤ２）。なお、製品出荷時に予め第３の操作ボタン６ｃが設定されていてもよい。その場合には、ステップＤ１及びＤ２の手順は不要となる。また、予め設定されている第３の操作ボタン６ｃを所有者の入力操作により別の操作ボタン６に設定変更できるようにしてもよい。
【００６５】
次いで、携帯電話機２１の所有者の入力操作により、擬似通話動作開始ボタン設定部２３は第４の操作ボタン６ｄを設定する（ステップＤ３）。第４の操作ボタン６ｄの設定情報は、ボタン設定記憶部１５に記憶される（ステップＤ４）。  次いで、携帯電話機２１の所有者の入力操作により、擬似通話動作停止ボタン設定部２４は第５の操作ボタン６ｅを設定する（ステップＤ５）。第５の操作ボタン６ｅの設定情報は、ボタン設定記憶部１５に記憶される（ステップＤ６）。
【００６６】
図７は、本発明の第２の実施の形態に係る携帯電話機の動作手順を説明するためのフローチャートである。
【００６７】
待ち受け状態（ステップＥ１）から、擬似着信動作を開始させる第３の操作ボタン６ｃを押下すると（ステップＥ２）、制御部１０によって擬似着信動作モードに切り替わり（ステップＥ３）、着信音が鳴る、着信ランプが点滅する等の擬似着信処理が行われる（ステップＥ４）。
【００６８】
ステップＥ２にて第３の操作ボタン６ｃを押下しない場合は、待ち受け状態を維持する。
【００６９】
次いで、擬似通話動作を開始させる第４の操作ボタン６ｄを押下すると（ステップＥ５）、制御部１０によって、擬似通話用音声データが出力され、擬似通話処理が行われる（ステップＥ６）。ステップＥ５にて第４の操作ボタン６ｃ以外の操作ボタンが押下されると、擬似着信処理は停止する（ステップＥ７）。擬似着信処理が停止すると、待ち受け状態に移行される。
【００７０】
次いで、擬似通話動作を停止させる第５の操作ボタン６ｅが押下されると（ステップＥ８）、擬似通話処理が停止する（ステップＥ９）。このとき、擬似通話動作を停止させるための解除方法は誰にでもわかるような簡単なものではなく、携帯電話機２１の所有者のみが容易に解除できるように、指定キーである第５の操作ボタン６ｅが所定時間（例えば５秒）押し続けられた場合又は所定回数（例えば３回）押された場合にだけ、擬似通話動作を停止するように構成されるのが好ましい。また、第１の実施の形態のように、所定の暗証番号が入力された場合だけに、擬似通話動作を停止するように構成してもよい。
【００７１】
第５の操作ボタン６ｅ以外のボタンを押下した場合、擬似通話動作は停止せず、擬似通話動作のためのボタン操作が正常に行われるまで、擬似通話処理が行われ続けることになる。
【００７２】
擬似通話処理が停止すると、待ち受け状態に移行される。
【００７３】
本発明の第２の実施の形態に係る携帯電話機２１によれば、擬似着信及び擬似通話を行うことにより、有効に相手を威嚇し、警戒させることができる。また、発信の行為により相手を逆上させることもなく、相手方に電話がつながらないという心配もないので、犯罪の防止を安全かつ確実に行うことができる。
【００７４】
また、擬似着信通話開始停止部２５は、第５の操作ボタン６ｅが押された場合だけに擬似通話動作を停止させ、第５の操作ボタン６ｅ以外の操作ボタン６が押された場合、擬似通話動作を停止しないので、携帯電話機２１の所有者のみが容易に擬似通話動作を解除でき、所有者以外の者が擬似通話動作を解除するのは困難である。従って、犯罪者によって携帯電話機２１を取り上げられた場合であっても、擬似通話動作を容易に解除されてしまうことはなく、防犯効果を著しく向上させることができる。
【００７５】
なお、擬似着信開始、擬似通話開始及び擬似通話停止についてそれぞれ異なったボタン操作で行えるようになっているが、各操作ボタン６ｃ〜６ｅで設定されるボタンは任意であり、例えば１つの操作ボタン（例えば、折畳型の携帯電話機の本体に付いているサイドボタン）で全ての動作を行えるようにしてもよい。
【００７６】
本発明は、上記実施の形態に限定されることはなく、特許請求の範囲に記載された技術的事項の範囲内において、種々の変更が可能である。例えば、アラーム音発生ボタン設定部１１とアラーム音停止ボタン設定部１２を同一のボタン設定部として構成し、第１の操作ボタン６ａと第２の操作ボタン６ｂが同一になるようにしてもよい。この場合には、操作及び構成がより簡単になる。
【００７７】
また、電源ボタンを押して電源をＯＦＦ状態にしようとしてもアラーム音や擬似通話動作を停止できないように構成することにより、より防犯効果を向上させることができる。
【００７８】
また、誤動作を防止するために、第１の操作ボタン６ａ、第３の操作ボタン６ｃが所定時間押し続けられた場合又は所定回数押された場合だけに、アラーム音を発生させたり、擬似着信動作を開始するように構成してもよい。
【００７９】
また、振動センサ、加速度センサにより特定の振動、加速度が加えられた場合にアラーム音を発生させたり、擬似着信動作を開始するように構成してもよい。
【図面の簡単な説明】
【００８０】
【図１】本発明の第１の実施の形態に係る携帯電話機の構成を示すブロック図である。
【００８１】
【図２】（Ａ）及び（Ｂ）は第１の本発明の実施の形態に係る携帯電話機の設定手順を説明するためのフローチャートである。
【００８２】
【図３】本発明の第１の実施の形態に係る携帯電話機の動作手順を説明するためのフローチャートである。
【００８３】
【図４】本発明の他の実施の形態に係る携帯電話機の動作手順を説明するためのフローチャートである。
【００８４】
【図５】本発明の第２の実施の形態に係る携帯電話機の構成を示すブロック図である。
【００８５】
【図６】本発明の第２の本発明の実施の形態に係る携帯電話機の設定手順を説明するためのフローチャートである。
【００８６】
【図７】本発明の第２の実施の形態に係る携帯電話機の動作手順を説明するためのフローチャートである。
【符号の説明】
【００８７】
１：携帯電話機
２：ＬＣＤ
３：バックライト
４：ＲＧＢコントローラ
５：バイブレータ
６：操作ボタン
６ａ：第１の操作ボタン
６ｂ：第２の操作ボタン
６ｃ：第３の操作ボタン
６ｄ：第４の操作ボタン
６ｅ：第５の操作ボタン
７：スピーカ
８：スピーカ駆動部
９：記憶部
１０：制御部
１１：アラーム音発生ボタン設定部
１２：アラーム音停止ボタン設定部
１３：暗証番号設定部
１４：アラーム音発生停止部
１５：ボタン設定記憶部
１６：暗証番号記憶部
１７：アラーム音記憶部
１８：送受信部
１９：アンテナ
２０：通信制御部
２１：携帯電話機
２２：擬似着信動作開始ボタン設定部
２３：擬似通話動作開始ボタン設定部
２４：擬似通話動作停止ボタン設定部
２５：擬似着信通話開始停止部
２６：ボタン設定記憶部
２７：音声データ記憶部
２８：録音部
【図１】
2004289875.tif 000003
【図２】
2004289875.tif 000004
【図３】
2004289875.tif 000005
【図４】
2004289875.tif 000006
【図５】
2004289875.tif 000007
【図６】
2004289875.tif 000008
【図７】
2004289875.tif 000009